(57)【要約】【課題】  既設の床の上に電線、通信回線、電熱線、温熱配管などを配線配管したり、温風を通すために既存床と生活上の床の間に通線、通風空間を設けるためのフリーアクセスフロアの構造において、仕上げ材のタイルカーペット又は絨毯、以下タイルカーペット等と呼ぶ、との滑り止め付きフリーアクセスフロアパネルを提供する。【解決手段】  フリーアクセスフロアパネル（１）の上面に複数の突起物（２）をつける。突起物（２）は上先端が上方に向かって鋭角な形状を成しており、その底面は直方形又は三角形の場合はその１辺が、円形においては最大径が２０ｍｍ以下であり、高さはフリーアクセスフロアパネル（１）の上面から０．１から５ｍｍの高さにしており、突起物同士の間隔は２００ｍｍ以下として滑り止め付きフリーアクセスフロアパネル構成する。【選択図】    図１
2005139875.tif 000002
【特許請求の範囲】
【請求項１】
支持脚部を持ち下部に配線空間を有するフリーアクセスフロアパネル（１）にあって、底面が直方形又は三角形の場合はその１辺が、円形においては最大径が２０ｍｍ以下であり、高さは０．１から５ｍｍの高さで、その上先端が上方に向かって鋭角な形状を成した突起物（２）を複数個、２００ｍｍ以下の間隔でフリーアクセスフロアパネル（１）の上面に付けたことを特徴とした滑り止め付きフリーアクセスフロアパネル。
【請求項２】
請求項１のフリーアクセスフロア（１）の材質をプラスチック製とし、上面に設置する請求項１の突起物（２）はフリーアクセスフロアパネル（１）と一体で成形されていることを特徴とした滑り止め付きフリーアクセスフロアパネル。
【発明の詳細な説明】
【技術分野】
【０００１】  この発明は、既設の床の上に電線、通信回線、電熱線、温熱配管などを配線配管したり、温風を通すために既存床と生活上の床の間に通線、通風空間を設けるためのフリーアクセスフロアの構造において、仕上げ材のタイルカーペット又は絨毯、以下タイルカーペット等と呼ぶ、との滑り止め構造に関するものである。
【背景技術】
【０００２】  近年、事務所などにおいては、ＯＡ機器が急増しており、それにともない配線ケーブルなどが配線される電線の数も多くなっている。一方住宅などでも床暖房が普及してきており改修工事などで躯体床（７）の上に電熱線や温熱配管を設置するケースがでてきており床面上に各種配線（５）、又は配管が這うことになる。一方、温風を床下に通すなどの暖房床も考案されている。従来より歩行生活に困難をきたさないように既存床面の上に支持足を持つフリーアクセスフロアパネル（１）を置き敷きして、パネルと既存床面の間に配線、配管空間をもたせるようにしている。しかしフリーアクセスフロアパネル（１）を置き敷きしただけでは歩行の際に接続部などに躓くなど必ず表面をタイルカーペット等（４）で覆う必要がある。従来はフリーアクセスフロアパネル（１）の上にタイルカーペット等（４）を敷きこむ際にパネル上面に粘着力を長期間維持しているピールアップセメントなどの接着材（６）を塗布してタイルカーペット等を貼り付ける技術が一般的であった。図５は従来技術のフリーアクセスフロア上面に接着材塗布斜視図であり。図６は従来技術のフリーアクセスフロア上面にタイルカーペット等を貼り付ける説明図である。
【発明の開示】
【発明が解決しようとする課題】
【０００３】  従来の技術には次のような欠点があった。
イ．フリーアクセスフロアパネルの表面に接着材を塗布してタイルカーペット等と接着する工程が発生して手間がかかる。
ロ．接着材が必要となり、コスト高になる。
ハ．配線引き出しキャップに接着材が塗布される為、配線の際にタイルカーペット等を剥がしてキャップの取り外す際にカーペットに付着して、再装着に手間どる。
ニ．パネルに接着材が付着する為、フリーアクセスフロアパネルの再利用が困難。
ホ．配線引き出しキャップに接着剤が付着する為、再利用が困難。
ヘ．金属の配線引き出しキャップの場合接着剤が付着する為、再資源化するためには表面洗浄の必要があり、コスト高になる。
ト．カーペットに接着剤が付着する為、再利用困難。
チ．接着材がフリーアクセスフロアパネルの隙間から漏れて建物躯体の床を汚す。
本発明はこれらの欠点を解決するために発明されたものである。
【課題を解決するための手段】
【０００４】  本発明者は上記のような実状に鑑み、鋭意検討の結果、以下に記載するような発明をなすに至ったものである。
フリーアクセスフロアパネル（１）の上面に突起物（２）をつける。突起物（２）は上先端が上方に向かって鋭角な形状を成しており、その底面は直方形又は三角形の場合はその１辺が、円形においては最大径が２０ｍｍ以下であり、高さはフリーアクセスフロアパネル（１）の上面から０．１から５ｍｍの高さにしてあり。突起物（２）同士の間隔は２００ｍｍ以下としている。
フリーアクセスフロア（１）は材質をプラスチック製とし、上面に設置する突起物（２）はフリーアクセスフロアパネル（１）と一体で成形されている。
【発明の効果】
【０００５】  本発明によれば、フリーアクセスフロアの上にタイルカーペット等を敷き込む場合、接着材が不要になり、材料とその施工がなくなり経済的である。また、フリーアクセスフロア及びタイルカーペット等に接着材が付着することがなく再利用、又は再資源化が可能になる。
配線作業を行う際にも配線引き出し用キャップの上に接着材が付着することが無いため配線作業も円滑に行うことができる。さらに配線引き出し用キャップが金属製の場合接着材を除去する必要がないため再利用、再資源化が簡単になり経済的である。
接着材でタイルカーペット等を貼り付け作業を行う際に接着材が躯体の床に漏れ落ちて躯体床を汚すようなこともなくなる。
【発明を実施するための最良の形態】
【０００６】  以下、本発明を詳細に説明する。
図１は本発明のフリーアクセスフロアパネル上面に突起物を付けた斜視図であり、フリーアクセスフロアパネル（１）は下部に配線（５）を通すために支持脚部（３）を４隅でパネルから躯体床（７）に向かって突起形成している。支持脚部（３）は配線空間を構成するためのものでフリーアクセスフロアパネル（１）とは一体でなく、個別に設置することも可能である。フリーアクセスフロアパネル（１）は窯業系のパネル、金属系のパネル及びプラスチック系のパネルでもよい。フリーアクセスフロアパネル（１）の上面に高さ０．８ｍｍ、１辺の長さ１．４ｍｍの三角形の底面をもつ錐状体突起物（２）を複数個付けている。突起物（２）同士の間隔は人間の足の大きさを考慮して該１７０ｍｍ以下としている。又フリーアクセスフロアパネル（１）を複数個躯体床（７）の上に各辺を近接して敷き並べてフリーアクセスフロアを形成するため、敷き並べた場合にも突起物２が該１７０ｍｍ以下になるように、突起物（２）をフリーアクセスフロアパネル（１）の各辺から該５０ｍｍ以下になるように付けている。突起物（２）はフリーアクセスフロアパネル（１）の上面に金属パネルの場合、裏面より打ちだしで形成するか、窯業系の場合は型枠にセメント類を注入する前に突起物（２）を挿入しておいて成形する。プラスチック系の場合はパネル製作における型に凹部を設けて突起物（２）をフリーアクセスフロアパネル（１）と一体で形成することができる。プラスチックはポリプロピレンや塩化ビニールでよく、ウレタンやポリカーボネートでも可能である。図２は本発明の突起物を付けたフリーアクセスフロアパネルにタイルカーペット等を敷き込む説明図であり、タイルカーペット等（４）がフリーアクセスフロアパネル（１）の上面に接着材を介せず敷きこまれる。図３は本発明のフリーアクセスフロアパネル上面の突起物上にタイルカーペット等を敷き込んだ断面図でありタイルカーペット等（４）の下面が突起物の上先端部にめり込みタイルカーペット等（４）が滑らない構造になる。図４は本発明のフリーアクセスフロアパネルの配線空間に配線した斜視図であり、躯体床（７）の上にフリーアクセスフロアパネル（１）を複数個敷き並べて配線空間を形成し、その空間に配線（５）が通されてある。フリーアクセスフロアパネル（１）には本発明の突起物（２）が複数個形成されておりタイルカーペット等（４）が接着材（６）を介せず敷き並べられている。
【図面の簡単な説明】
【０００７】
【図１】  本発明のフリーアクセスフロアパネル上面に突起物を付けた斜視図。
【図２】  本発明の突起物を付けたフリーアクセスフロアパネルにタイルカーペットを敷き込む説明図。
【図３】  本発明のフリーアクセスフロアパネル上面の突起物上にタイルカーペットを敷き込んだ断面図。
【図４】  本発明のフリーアクセスフロアパネルの配線空間に配線した斜視図。
【図５】  従来技術のフリーアクセスフロアパネル上面に接着材塗布斜視図。
【図６】  従来技術のフリーアクセスフロアパネル上面にタイルカーペット等を貼り付ける説明図。
【符号の説明】
【０００８】１    フリーアクセスフロアパネル
２    突起物
３    支持脚部
４    タイルカーペット等
５    配線
６    接着材
７    躯体床
【図１】
2005139875.tif 000003
【図２】
2005139875.tif 000004
【図３】
2005139875.tif 000005
【図４】
2005139875.tif 000006
【図５】
2005139875.tif 000007
【図６】
2005139875.tif 000008